(57)【要約】【課題】防音壁において、上方の防音性能を高める。【解決手段】防音壁２の上端に防音天井３を一体化して備える防音構造体１を構築する。このように、防音壁２の上端に一体化した防音天井３が備えられているので、上方に対する防音性能に優れている。具体的には、防音天井３の端部が防音壁１の上端に接合して固定されている。そして、防音壁２の平行する支柱４の案内溝に沿って複数枚の防音パネル６が建て込まれるとともに、防音天井３の平行する梁５の案内溝に沿って複数枚の防音パネル６が建て込まれている。さらに、支柱４及び梁５の案内溝と反対側には防音シール構造部が設けられている。この防音シール構造部は、支柱４及び梁５の案内溝と反対側に固定されて互いにオーバーラップするレールと、このレールに取り付けられてオーバーラップするレールに先端が当接するシール材とからなる。【選択図】図１
2005060975.tif 000002
【特許請求の範囲】
【請求項１】
防音壁の上端に防音天井を一体化して備えたことを特徴とする防音構造体。
【請求項２】
防音天井の端部が防音壁の上端に接合して固定されていることを特徴とする請求項１に記載の防音構造体。
【請求項３】
防音天井が湾曲部を介して防音壁に連続していることを特徴とする請求項１に記載の防音構造体。
【請求項４】
防音壁の平行する支柱の案内溝に沿って複数枚の防音パネルが建て込まれるとともに、防音天井の平行する梁の案内溝に沿って複数枚の防音パネルが建て込まれていることを特徴とする請求項１から３のいずれか一項に記載の防音構造体。
【請求項５】
支柱及び梁の案内溝と反対側には防音シール構造部が設けられていることを特徴とする請求項４に記載の防音構造体。
【請求項６】
防音シール構造部は、支柱及び梁の案内溝と反対側に固定されて互いにオーバーラップするレールと、このレールに取り付けられてオーバーラップするレールに先端が当接するシール材とからなることを特徴とする請求項５に記載の防音構造体。
【発明の詳細な説明】
【技術分野】
【０００１】
本発明は、天井部を備える防音構造体に関する。
【背景技術】
【０００２】
道路や鉄道線路等の両脇に沿って設置される上部が湾曲した防音壁において、湾曲した支柱の側面に設けられた案内溝に沿って防音パネルを建て込んでいくことにより施工性を改善した技術が知られている（例えば特許文献１参照）。
【特許文献１】特開平６−４９８１３号公報
【発明の開示】
【発明が解決しようとする課題】
【０００３】
しかし、防音壁の上部を湾曲させても、上方への防音効果については未だ不十分なものであった。
【０００４】
本発明の課題は、防音壁において、上方の防音性能を高めることである。
【課題を解決するための手段】
【０００５】
以上の課題を解決するため、請求項１に記載の発明は、例えば図１、図２及び図５に示すように、防音壁２の上端に防音天井３を一体化して備えた防音構造体２を特徴とする。
【０００６】
このように、防音壁の上端に一体化した防音天井が備えられているので、上方に対する防音性能に優れている。
【０００７】
請求項２に記載の発明は、請求項１に記載の防音構造体であって、例えば図１、図２及び図５に示すように、防音天井３の端部が防音壁２の上端に接合して固定されていることを特徴とする。
【０００８】
請求項３に記載の発明は、請求項１に記載の防音構造体であって、例えば図６に示すように、防音天井３が湾曲部７を介して防音壁２に連続していることを特徴とする。
【０００９】
請求項４に記載の発明は、請求項１から３のいずれか一項に記載の防音構造体であって、例えば図３に示すように、防音壁２の平行する支柱４の案内溝４１に沿って複数枚の防音パネル６が建て込まれるとともに、防音天井３の平行する梁５の案内溝５１に沿って複数枚の防音パネル６が建て込まれていることを特徴とする。
【００１０】
このように、防音壁の平行する支柱の案内溝に沿って複数枚の防音パネルを建て込み、防音天井の平行する梁の案内溝に沿って複数枚の防音パネルを建て込むので、足場の設置や大型重機を必要とせず、防音壁及び防音天井を簡単に施工できる。
【００１１】
請求項５に記載の発明は、請求項４に記載の防音構造体であって、例えば図４に示すように、支柱４及び梁５の案内溝４１・５１と反対側には防音シール構造部が設けられていることを特徴とする。
【００１２】
このように、支柱及び梁の案内溝と反対側には防音シール構造部が設けられているので、防音壁の隣り合う支柱の隙間からの騒音漏れを防止できるとともに、防音天井の隣り合う梁の隙間からの騒音漏れを防止できる。
【００１３】
請求項６に記載の発明は、請求項５に記載の防音構造体であって、例えば図４に示すように、防音シール構造部は、支柱４及び梁５の案内溝４１・５１と反対側に固定されて互いにオーバーラップするレール４２・５２と、このレールに取り付けられてオーバーラップするレール４２・５２に先端が当接するシール材４３・５３とからなることを特徴とする。
【００１４】
このように、支柱及び梁の案内溝と反対側に固定したレールを互いにオーバーラップさせるとともに、そのレールに取り付けたシール材の先端をオーバーラップするレールに当接させることで、隣り合う支柱及び梁の間における音漏れを確実に防止できる。
【発明の効果】
【００１５】
請求項１に記載の発明によれば、防音壁の上端に一体化した防音天井によって、上方の防音性能を向上できる。
【００１６】
請求項４に記載の発明によれば、防音壁の支柱及び防音天井の梁に対し案内溝に沿って防音パネルを建て込む構造なので、足場の設置や大型重機を必要とせず、防音壁及び防音天井を簡単に施工でき、従って、工期短縮及びコストダウンが図れる。
【００１７】
請求項５に記載の発明によれば、支柱及び梁の案内溝と反対側に設けた防音シール構造部によって、防音壁の隣り合う支柱の隙間から騒音漏れと防音天井の隣り合う梁の隙間からの騒音漏れを防止できる。
【００１８】
請求項６に記載の発明によれば、支柱及び梁の案内溝と反対側に固定したレールを互いにオーバーラップさせるとともに、そのレールに取り付けたシール材の先端をオーバーラップするレールに当接させる防音シール構造なので、隣り合う支柱及び梁の間における音漏れを確実に防止できる。
【発明を実施するための最良の形態】
【００１９】
以下、図を参照して本発明を実施するための最良の形態を詳細に説明する。
〔第１の実施の形態〕
図１及び図２に示すように、防音構造体１は防音壁２の上端に防音天井３を一体化して備えたものである。防音壁２は垂直に建てられた平行する支柱４の間に防音パネル６を複数枚建て込んで構成される。防音天井３は支柱４の上端に端部を重ねて水平に溶接した平行する梁５の間に防音パネル６を複数枚建て込んで構成される。
【００２０】
具体的には、図３に示すように、溝形鋼による支柱４の案内溝４１に沿って防音パネル６を順に建て込んでいく。同様に、溝形鋼による梁５の案内溝５１に沿って防音パネル６を建て込んでいく。
【００２１】
なお、寸法については、例えば支柱４（梁５）の間隔３ｍ、支柱４の高さ４〜６ｍ、梁５の長さ１〜３ｍ、防音パネル６の縦１ｍ・横３ｍ程度である。また、防音パネル６は、例えば５０ｋｇｆ／ｍ2と軽量なポリカーボネート製やアクリル製の透明パネルである
そして、隣り合う支柱４の隙間は図４に示すような防音シール構造部となっている。即ち、隣り合う支柱４の案内溝４１と反対側面には、図示のように、アングル材によるレール４２が互いに先端位置をオーバーラップするよう溶接して備えられるとともに、そのレール４２の先端にシール材４３が接着して備えられている。レール４２はステンレス製等の金属製であり、建て込み時のガイドを兼ねる。シール材４３はゴム製で先端が相手方のレール４２に十分に密着する。
【００２２】
隣り合う梁５の隙間も同様の防音シール構造部となっている。即ち、隣り合う梁５の案内溝５１と反対側面にも同様のアングル材によるレール５２が互いに先端位置をオーバーラップするよう溶接して備えられるとともに、そのレール５２の先端にも同様のシール材５３が接着して備えられている。
【００２３】
以上による垂直な防音壁２の上端に水平な防音天井３を備える防音構造体１は、重層構造物の下部、例えば図５に示したような複層鉄道線路の下層部分に構築される。
【００２４】
以上の防音構造体１によれば、以下に列挙する作用効果が得られる。
（１）防音壁２の上端に一体化した防音天井２によって、上方の防音性能に優れている。
（２）複層鉄道線路の下層部分において、防音壁２の支柱４及び防音天井３の梁５に対し案内溝４１・５１に沿って防音パネル６を建て込む工法のため、足場の設置や大型重機を必要とせず、防音壁２及び防音天井３を簡単に施工できる。従って、工期短縮及びコストダウンが図れる。
（３）支柱４及び梁５の案内溝４１・５１と反対側は防音シール構造となっているため、防音壁２の隣り合う支柱４の隙間から騒音漏れと防音天井３の隣り合う梁５の隙間からの騒音漏れを防止できる。即ち、レール４２・５２を互いにオーバーラップさせるとともに、そのレールに取り付けたシール材４３・５３の先端をオーバーラップするレール４２・５２に当接させたため、隣り合う支柱４及び梁５の間における音漏れを確実に防止できる。
〔第２の実施の形態〕
この実施形態は、図６に示すように、防音壁２に湾曲部７を介して防音天井３が連続する防音構造体１を構築したものである。即ち、支柱４に湾曲レール７を介して梁５が連続する溝形鋼を加工しておき、これを建てて、梁５の先端間から防音パネル６を次々に建て込んでいく。
【００２５】
ここで、防音パネル６は、湾曲レール７を通過させる必要から前述した第１実施形態のものより縦幅が小さいものを採用する。そして、湾曲レール７に位置する防音パネル９は、図示のように、隣り合う防音パネル６の端縁部に面接触するよう加工したものを採用することが望ましい。
【００２６】
このように、防音壁２に湾曲部７を介して防音天井３が連続する防音構造体１を構築すれば、さらに工期を短縮してコストダウンできる。
【００２７】
なお、以上の実施の形態においては、溝形鋼による支柱及び梁としたが、本発明はこれに限定されるものではなく、Ｈ形鋼やＩ形鋼であっても良い。
【００２８】
また、防音パネルの材質もポリカーボネートやアクリルに限らず任意であり、その他、具体的な細部構造等についても適宜に変更可能であることは勿論である。
【図面の簡単な説明】
【００２９】
【図１】本発明を適用した防音構造体の構成を示すもので、第１の実施形態を示した概略斜視図である。
【図２】図１の防音構造体の正面図（ａ）と側面図（ｂ）である。
【図３】防音パネルの建て込み構造を示した図である。
【図４】隣り合う支柱及び梁間の防音シール構造を示した図である。
【図５】本発明を適用した防音構造体の施工例を示した概略断面図である。
【図６】本発明を適用した防音構造体の構成を示すもので、第２の実施形態を示した概略斜視図である。
【符号の説明】
【００３０】
１  防音構造体
２  防音壁
３  防音天井
４  支柱
４１  案内溝
４２  レール
４３  シール材
５  梁
５１  案内溝
５２  レール
５３  シール材
６  防音パネル
７  湾曲部
８  湾曲レール
９  防音パネル
【図１】
2005060975.tif 000003
【図２】
2005060975.tif 000004
【図３】
2005060975.tif 000005
【図４】
2005060975.tif 000006
【図５】
2005060975.tif 000007
【図６】
2005060975.tif 000008